(57)【要約】【課題】  押圧動作時の移動ストロークを大きくでき、スイッチの部品点数を減少させ、スイッチ組立を容易に行うことが可能な可動接点及びこれを用いた可動接点付シート及びスイッチ装置を提供する。【解決手段】  第１の板ばね４及びこの第１の板ばね４よりもばね力の大きな第２の板ばね５とを備え、第２の板ばね５の片側に第１の板ばね４を一体に設け、第２の板ばね５の他端を基端として第１の板ばね４が撓むことにより第２の板ばね５を傾動可能に配設し、第１の板ばね４が撓むことにより第２の板ばね５が傾動する第１移動ストロークと、第２の板ばね５が撓むことにより第２の板ばね５が移動する第２移動ストロークとによってスイッチ切り換え時の全移動ストロークを形成した。【選択図】        図２
2006216329.tif 000002
【特許請求の範囲】
【請求項１】
第１の板ばね及びこの第１の板ばねよりもばね力の大きな第２の板ばねとを備え、前記第２の板ばねの片側に前記第１の板ばねを一体に設け、前記第２の板ばねの他端を基端として前記第１の板ばねが撓むことにより前記第２の板ばねを傾動可能に配設し、前記第１の板ばねが撓むことにより前記第２の板ばねが傾動する第１移動ストロークと、前記第２の板ばねが撓むことにより前記第２の板ばねが移動する第２移動ストロークとによってスイッチ切り換え時の全移動ストロークを形成したことを特徴とする可動接点。
【請求項２】
前記第１の板ばね及び前記第２の板ばねは、同一のばね性金属板で一体形成されると共に、何れか一方にクリック用の反転部を形成したことを特徴とする請求項１記載の可動接点。
【請求項３】
前記第１及び第２の板ばねを、フープ状に複数個連続して設け、前記第１の板ばねと前記第２の板ばねとの中心を結ぶ仮想線を横切る方向の外周縁にフープ材との繋ぎ桟部を設けたことを特徴とする請求項２記載の可動接点。
【請求項４】
前記第２の板ばねにクリック用の反転部を設け、前記第２の板ばねが押圧されることにより、前記第１の板ばねが撓んでスイッチ切り換え前の前記第１移動ストロークを形成し、更に押圧されることにより、前記第２の板ばねが反転してクリック感の生成とスイッチの切り換えを行う前記第２移動ストロークを形成したことを特徴とする請求項２記載の可動接点。
【請求項５】
前記第１の板ばねにクリック用の反転部を設け、前記第２の板ばねが押圧されることにより、前記第１の板ばねが反転してクリック感の生成とスイッチの切り換えを行う前記第１移動ストロークを形成し、更に押圧されることにより、前記第２の板ばねが撓んでスイッチ切り換え後の前記第２移動ストロークを形成したことを特徴とする請求項２記載の可動接点。
【請求項６】
前記第２の板ばねにクリック用の反転部を設け、前記第２の板ばねが押圧されることにより、前記第１の板ばねが撓んでスイッチの切り換えを行う前記第１移動ストロークを形成し、更に押圧されることにより、前記第２の板ばねが反転してクリック感の生成とスイッチ切り換え後の前記第２移動ストロークを形成したことを特徴とする請求項２記載の可動接点。
【請求項７】
前記第２の板ばねにクリック用の反転部を設け、前記第２の板ばねが押圧されることにより、前記第１の板ばねが撓んで１段目のスイッチの切り換えを行う前記第１移動ストロークを形成し、更に押圧されることにより、前記第２の板ばねが反転してクリック感の生成と２段目のスイッチの切り換えを行う前記第２移動ストロークを形成したことを特徴とする請求項２記載の可動接点。
【請求項８】
第１の板ばね及びこの第１の板ばねよりもばね力の大きな第２の板ばねとを備え、押圧操作時に前記第１の板ばね及び前記第２の板ばねが撓むことによってスイッチ切り換え時の全移動ストロークを形成した可動接点付シートであって、請求項１乃至７の何れかに記載の可動接点を、可撓性を有する粘着シートの下面側に貼着し、この粘着シートと前記可動接点とを一体に剥離可能な剥離シートに積層させたことを特徴とする可動接点付シート。
【請求項９】
共通固定接点及び個別固定接点が配設された基台と、この基台上に載置され、前記共通固定接点及び個別固定接点と接離する第１の板ばね及びこの第１の板ばねよりもばね力の大きな第２の板ばねとを備え、押圧操作時に前記第１の板ばね及び前記第２の板ばねが撓むことによってスイッチ切り換え時の全移動ストロークを形成したスイッチ装置であって、請求項１乃至７の何れかに記載の可動接点を、前記共通固定接点及び前記個別固定接点が配設された前記基台上に載置したことをことを特徴とするスイッチ装置。
【発明の詳細な説明】
【技術分野】
【０００１】
本発明は、デジタルビデオやカメラ、携帯電話等の各種電子機器に使用され、押圧操作時にスイッチの動作ストロークを大きくできる可動接点及びそれを用いた可動接点付シート及びスイッチ装置に関する。
【背景技術】
【０００２】
従来の動作（移動）ストロークを大きくできるスイッチの構造としては、可動接点と押ボタンとの間にゴム等の弾性体を挟み込んで、反転動作可能な可動接点を押圧して動作させる押ボタンの下面中央の突部を変形可能な弾性体で形成し、スイッチの操作時に、可動接点の反転動作よりも先に押圧用の弾性体を所定量だけ変形（縮小）させる構成のものが知られている。（例えば、特許文献１参照）。
【０００３】
この従来のスイッチの構造を図２２〜図２４に示す。図２２は従来のスイッチを示す断面図、図２３は従来のスイッチの押ボタンと押圧用弾性体の結合構成を示す断面図、図２４は従来のスイッチの動作状態を示す縦断面図である。
【０００４】
図に示すように、従来のスイッチの構成では、ダイアフラム状の反転動作形可動接点１０６を押して反転動作させる剛体材料製の押ボタン１０７下面の突部１０９を、ゴム等の弾性体で形成している。すなわち、図２２において、押ボタン１２１はその下面中央に押圧用弾性体１２２を保持した構成としている。
【０００５】
そして、この押圧用弾性体１２２はゴム等の弾性材料からなり、図２３に示すように、上部が大径のフランジ部１２２Ｂとなった二段構造の円柱状で、この先端がテーパ１２２Ｃとなったフランジ部１２２Ｂを、同図に矢印で示すように、剛体材料製の押ボタン１２１の下面中央の内部が広くなった段付き孔１２１Ａに圧入することによって両者は結合されている。
【０００６】
また、この押圧用弾性体１２２の押圧による変形すなわち縮小は、プッシュオンスイッチのダイアフラム状の反転動作形可動接点１０６の反転動作時の押し力よりも小さな力で変形を始めるように設定されている。
【０００７】
従って、図２４（ａ）に示す状態から押ボタン１２１の上面突部１２３に押し力Ｐを加えることによって押ボタン１２１が下方に動き始めると、その下面中央の押圧用弾性体１２２が縮み始め（同図（ｂ））、上面突部１２３に加える力が大きくなるにつれてダイアフラム状の反転動作形可動接点１０６も徐々に変形して、押し力Ｐが反転動作形可動接点１０６が反転動作する力を越えると、反転動作形可動接点１０６は節度感を伴って反転動作し（同図（ｃ））、外側固定接点１０３Ａ、１０３Ｂと中央固定接点１０５との間すなわち接続端子１０２と１０４との間を導通させる。
【０００８】
この後、押ボタン１２１の上面突部１２３に加えていた押し力Ｐを除くと、押ボタン１２１は反転動作形可動接点１０６と押圧用弾性体１２２の弾性力によって押し戻され、元の図２４（ａ）の状態に復帰する。
【０００９】
すなわち、従来のスイッチの動作ストロークは、そのダイアフラム状の反転動作形可動接点１０６の反転動作時の荷重に相当する力で押圧用弾性体１２２が変形（縮小）する寸法だけ動作ストロークが大きくなる。
【００１０】
【特許文献１】特開平９−１６１５９９号公報
【発明の開示】
【発明が解決しようとする課題】
【００１１】
しかしながら、上述した従来のスイッチにおいては、可動接点と押ボタンとの間に、別部材からなる弾性体を用いている構成のため部品点数が増え、組立が煩雑になるという問題があった。
【００１２】
従って、本発明は上記した問題点を解決し、押圧動作時の移動ストロークを大きくでき、スイッチの部品点数を減少させ、スイッチ組立を容易に行うことが可能な可動接点及びこれを用いた可動接点付シート及びスイッチ装置を提供することを目的とする。
【課題を解決するための手段】
【００１３】
上記課題を解決するために本発明では第１の解決手段として、第１の板ばね及びこの第１の板ばねよりもばね力の大きな第２の板ばねとを備え、前記第２の板ばねの片側に前記第１の板ばねを一体に設け、前記第２の板ばねの他端を基端として前記第１の板ばねが撓むことにより前記第２の板ばねを傾動可能に配設し、前記第１の板ばねが撓むことにより前記第２の板ばねが傾動する第１移動ストロークと、前記第２の板ばねが撓むことにより前記第２の板ばねが移動する第２移動ストロークとによってスイッチ切り換え時の全移動ストロークを形成した構成とした。
また、第２の解決手段として、前記第１の板ばね及び前記第２の板ばねは、同一のばね性金属板で一体形成されると共に、何れか一方にクリック用の反転部を形成した構成とした。
また、第３の解決手段として、前記第１及び第２の板ばねを、フープ状に複数個連続して設け、前記第１の板ばねと前記第２の板ばねとの中心を結ぶ仮想線を横切る方向の外周縁にフープ材との繋ぎ桟部を設けた構成とした。
【００１４】
また、第４の解決手段として、前記第２の板ばねにクリック用の反転部を設け、前記第２の板ばねが押圧されることにより、前記第１の板ばねが撓んでスイッチ切り換え前の前記第１移動ストロークを形成し、更に押圧されることにより、前記第２の板ばねが反転してクリック感の生成とスイッチの切り換えを行う前記第２移動ストロークを形成した構成とした。
また、第５の解決手段として、前記第１の板ばねにクリック用の反転部を設け、前記第２の板ばねが押圧されることにより、前記第１の板ばねが反転してクリック感の生成とスイッチの切り換えを行う前記第１移動ストロークを形成し、更に押圧されることにより、前記第２の板ばねが撓んでスイッチ切り換え後の前記第２移動ストロークを形成した構成とした。
また、第６の解決手段として、前記第２の板ばねにクリック用の反転部を設け、前記第２の板ばねが押圧されることにより、前記第１の板ばねが撓んでスイッチの切り換えを行う前記第１移動ストロークを形成し、更に押圧されることにより、前記第２の板ばねが反転してクリック感の生成とスイッチ切り換え後の前記第２移動ストロークを形成した構成とした。
また、第７の解決手段として、前記第２の板ばねにクリック用の反転部を設け、前記第２の板ばねが押圧されることにより、前記第１の板ばねが撓んで１段目のスイッチの切り換えを行う前記第１移動ストロークを形成し、更に押圧されることにより、前記第２の板ばねが反転してクリック感の生成と２段目のスイッチの切り換えを行う前記第２移動ストロークを形成した構成とした。
【００１５】
また、第８の解決手段として、第１の板ばね及びこの第１の板ばねよりもばね力の大きな第２の板ばねとを備え、押圧操作時に前記第１の板ばね及び前記第２の板ばねが撓むことによってスイッチ切り換え時の全移動ストロークを形成した可動接点付シートであって、第１乃至第７の解決手段の何れかに記載の可動接点を、可撓性を有する粘着シートの下面側に貼着し、この粘着シートと前記可動接点とを一体に剥離可能な剥離シートに積層させた構成とした。
また、第９の解決手段として、共通固定接点及び個別固定接点が配設された基台と、この基台上に載置され、前記共通固定接点及び個別固定接点と接離する第１の板ばね及びこの第１の板ばねよりもばね力の大きな第２の板ばねとを備え、押圧操作時に前記第１の板ばね及び前記第２の板ばねが撓むことによってスイッチ切り換え時の全移動ストロークを形成したスイッチ装置であって、第１乃至第７の解決手段の何れかに記載の可動接点を、前記共通固定接点及び前記個別固定接点が配設された前記基台上に載置した構成とした。
【発明の効果】
【００１６】
上述したように、本発明の可動接点は、第１の板ばね及びこの第１の板ばねよりもばね力の大きな第２の板ばねとを備え、第２の板ばねの片側に第１の板ばねを一体に設け、第２の板ばねの他端を基端として第１の板ばねが撓むことにより第２の板ばねを傾動可能に配設し、第１の板ばねが撓むことにより第２の板ばねが傾動する第１移動ストロークと、第２の板ばねが撓むことにより第２の板ばねが移動する第２移動ストロークとによってスイッチ切り換え時の全移動ストロークを形成したことから、可動接点の第２の板ばねと一体に設けた第１の板ばねによって可動接点を傾動させるようにしたので、動作（移動）ストロークを大きく形成できる。また、可動接点の両側を浮かせるのではなく、一側の他端を基端として傾動させるので、安定した良好な操作フィーリングが得られる。
また、第１の板ばね及び第２の板ばねは、同一のばね性金属板で一体形成されると共に、何れか一方にクリック用の反転部を形成したことから、可動接点としての第１及び第２の板ばねとクリック用ばねを、同一の金属板をプレス成形することにより容易に製造できる。
また、第１及び第２の板ばねを、フープ状に複数個連続して設け、第１の板ばねと第２の板ばねとの中心を結ぶ仮想線を横切る方向の外周縁にフープ材との繋ぎ桟部を設けたことから、可動接点の傾動を繰り返し行ってもフープ材との切り離し痕が接点や基台を削ることがなく、異物の発生を抑制し、長寿命化が図れる。
【００１７】
また、第２の板ばねにクリック用の反転部を設け、第２の板ばねが押圧されることにより、第１の板ばねが撓んでスイッチ切り換え前の第１移動ストロークを形成し、更に押圧されることにより、第２の板ばねが反転してクリック感の生成とスイッチの切り換えを行う第２移動ストロークを形成したことから、スイッチの切り換えまでの移動ストロークを大きくでき、スイッチの切り換え時には明瞭なクリック感触をえることができる。
また、第１の板ばねにクリック用の反転部を設け、第２の板ばねが押圧されることにより、第１の板ばねが反転してクリック感の生成とスイッチの切り換えを行う第１移動ストロークを形成し、更に押圧されることにより、第２の板ばねが撓んでスイッチ切り換え後の第２移動ストロークを形成したことから、スイッチの切り換え時に明瞭なクリック感触を得ることができ、スイッチの切り換え後の移動ストロークを大きくできる。
また、第２の板ばねにクリック用の反転部を設け、第２の板ばねが押圧されることにより、第１の板ばねが撓んでスイッチの切り換えを行う第１移動ストロークを形成し、更に押圧されることにより、第２の板ばねが反転してクリック感の生成とスイッチ切り換え後の第２移動ストロークを形成したことから、スイッチの切り換え後の移動ストロークを大きくでき、スイッチの切り換え後に更に押圧されたことをクリック感触で感知できる。
また、第２の板ばねにクリック用の反転部を設け、第２の板ばねが押圧されることにより、第１の板ばねが撓んで１段目のスイッチの切り換えを行う第１移動ストロークを形成し、更に押圧されることにより、第２の板ばねが反転してクリック感の生成と２段目のスイッチの切り換えを行う第２移動ストロークを形成したことから、１段目と２段目のスイッチの切り換えが可能な２段スイッチを構成でき、操作性が向上する。
【００１８】
また、本発明の可動接点付シートは、第１の板ばね及びこの第１の板ばねよりもばね力の大きな第２の板ばねとを備え、押圧操作時に第１の板ばね及び第２の板ばねが撓むことによってスイッチ切り換え時の全移動ストロークを形成した可動接点付シートであって、第１乃至第７の解決手段の何れかに記載の可動接点を、可撓性を有する粘着シートの下面側に貼着し、この粘着シートと可動接点とを一体に剥離可能な剥離シートに積層させたことから、移動ストロークが大きく、スイッチの組立が容易なスイッチ用の可動接点付シートを提供できる。
また、本発明のスイッチ装置は、共通固定接点及び個別固定接点が配設された基台と、この基台上に載置され、共通固定接点及び個別固定接点と接離する第１の板ばね及びこの第１の板ばねよりもばね力の大きな第２の板ばねとを備え、押圧操作時に第１の板ばね及び第２の板ばねが撓むことによってスイッチ切り換え時の全移動ストロークを形成したスイッチ装置であって、第１乃至第７の解決手段の何れかに記載の可動接点を、共通固定接点及び個別固定接点が配設された基台上に載置したことから、移動ストロークが大きく、部品点数の少ないスイッチ装置を提供できる。
【発明を実施するための最良の形態】
【００１９】
以下、本発明の実施の形態を図１乃至図２１に示す。図１は本発明の可動接点の平面図、図２は本発明の可動接点を用いたスイッチ装置の要部断面図、図３は本発明の可動接点の第１移動ストローク状態を示す要部断面図、図４は同じく可動接点の第２移動ストローク状態を示す要部断面図である。
また、図５は本発明の可動接点の他の実施例を示す平面図、図６は同じくスイッチ装置の他の実施例を示す要部断面図、図７は同じく可動接点の第１移動ストローク状態を示す要部断面図、図８は同じく可動接点の第２移動ストローク状態を示す要部断面図、図９は本発明の可動接点の更に他の実施例を示す平面図、図１０は同じくスイッチ装置の更に他の実施例を示す要部断面図、図１１は同じく可動接点の第１移動ストローク状態を示す要部断面図、図１２は同じく可動接点の第２移動ストローク状態を示す要部断面図であり、また、図１３は本発明の可動接点の更に他の実施例を示す平面図、図１４は同じくスイッチ装置の更に他の実施例を示す要部断面図、図１５は同じく可動接点の第１移動ストローク状態を示す要部断面図、図１６は同じく可動接点の第２移動ストローク状態を示す要部断面図である。
また、図１７は本発明の可動接点をフープ状にした状態を示す平面図、図１８は本発明の可動接点を粘着シートに貼着した可動接点付シートを示す平面図、図１９は可動接点付シートを用いたスイッチ装置を示す断面図で、図２０及び図２１は本発明の可動接点の更に他の実施例を示す平面図である。
【００２０】
図１及び図２において、本発明の可動接点及びスイッチ装置は、導電性の金属板からなる共通固定接点２及び個別固定接点３が平坦状の表面にそれぞれ対向して配設された絶縁性の樹脂積層板等からなる基台１と、この基台１上に載置され、前記共通固定接点２及び個別固定接点３と接離する第１及び第２の板ばね４、５からなる可動接点６とを備えている。
【００２１】
前記可動接点６は、弾性を有する導電性の金属薄板からなり、中央に反転可能なドーム状の反転部５ａを有する略円形状の第２の板ばね５と、この第２の板ばね５の片側に連結部４ａで接続して一体に形成された略Ｕ字状の第１の板ばね４とから形成されている。そして、この可動接点６は、第１の板ばね４に比べて第２の板ばね５のばね力の方が大きくなるように形成されており、第１の板ばね４が撓んだ後、第２の板ばね５が反転動作することによって押圧操作時に大きな移動ストロークが得られるものとなっている。
【００２２】
また、第１の板ばね４と第２の板ばね５との間には、一対の連結部４ａを挟んだ中央位置に、細長状の逃げ孔４ｂが設けられている。この逃げ孔４ｂを設けることにより、第２の板ばね５の反転部５ａが比較的大きく絞り加工されたとしても、この絞り加工による第１の板ばね４に及ぼす応力を抑え変形を防止することができる。また、この逃げ孔４ｂを設けることにより、第１の板ばね４と第２の板ばね５との間に（逃げ孔４ｂに臨むように）第２の板ばね５の周縁部５ｂの一部を露出させている。
【００２３】
また、第１の板ばね４は、一対の連結部４ａから外周部に向かって下方へ湾曲しており、第２の板ばね５が押圧された際には、連結部４ａを介してこの湾曲部に応力が加わることにより湾曲部が撓んで、第２の板ばね５が傾動するものとなっている。
【００２４】
可動接点６は、基台１上に載置されるものとなり、この時、前記第２の板ばね５の周縁部５ｂの一端（図２の左端）が、前記共通固定接点２と常時接触した状態で載置され、一方、第１の板ばね４の外周部の一端（図２の右端）が基台１の上面と常時当接した状態となっている。また、第２の板ばね５の周縁部５ｂの他端（図２の右端）及び第１の板ばね４の連結部４ａが、前記基台１の上面と一定の間隔を保持して対峙されており、第２の板ばね５が押圧された時、この第１の板ばね４の連結部４ａまたは第２の板ばね５の周縁部５ｂのどちらか一方が基台１の上面と当接するものとなっている。
【００２５】
また、第２の板ばね５の反転部５ａの頂部下面が、個別固定接点３と一定の間隔を保持して対峙されている。また、第２の板ばね５の反転部５ａの頂部下面には、複数（例えば、本発明では３個）の突状のボッチからなる接点部５ｃが形成されており、この接点部５ｃが個別固定接点３と接触可能な接点部を構成している。
【００２６】
この時、前記可動接点６は、第１の板ばね４のばね性によって連結部４ａを介して第２の板ばね５の周縁部５ｂの他端（図２の右端）が上方に付勢されており、第２の板ばね５の周縁部５ｂの一端（図２の左端）を支点として傾動動作及び復帰動作可能に配設されている。また、この場合、第１の板ばね４の外周部の一端（図２の右端）が基台１の上面に当接した状態となっており、第１の板ばね４の連結部４ａは、第１及び第２の板ばね４、５の非動作時においては、基台１上の共通固定接点２、及び個別固定接点３の配設位置よりも上方に位置するように上方に膨出して形成されている。
【００２７】
上記構成の可動接点６を用いたスイッチ装置の動作を、図３及び図４を用いて説明する。
非動作時においては、図２に示すように、可動接点６は第２の板ばね５の周縁部５ｂの一端（図２の左端）が共通固定接点２と接触しているが、第２の板ばね５の接点部は個別固定接点３とは離間しており、スイッチはオフ状態となっている。
【００２８】
次に、図３に示すように、図示しない電子機器等の操作部材により第２の板ばね５の反転部５ａ頂部上面が押圧されると、第２の板ばね５が周縁部５ｂの一端（図３の左端）を支点として傾動され、これにより第１の板ばね４の連結部４ａを介して湾曲部に応力が加わることにより、第１の板ばね４が下方に撓み、第１の板ばね４の連結部４ａ及び第２の板ばね５の周縁部５ｂの他端（図３の右端）が下方へ移動し、第１の板ばね４の連結部４ａまたは第２の板ばね５の周縁部５ｂの他端のどちらか一方が基台１の上面と当接して第１移動ストロークが得られる。この状態では、スイッチは依然オフ状態となっている。
【００２９】
この状態から、図４に示すように、図示しない操作部材を更に押圧すると、今度は第２の板ばね５の反転部５ａが反転し、反転部５ａの頂部下面に設けられた接点部５ｃが、個別固定接点３と接触してスイッチがオン状態となる。この第２の板ばね５の反転動作により第２移動ストロークが得られるものとなる。
【００３０】
このように、本発明の可動接点６を用いたスイッチ装置は、第１の板ばね４及びこの第１の板ばね４よりもばね力の大きな第２の板ばね５とを備え、この第２の板ばね５の片側に第１の板ばね４を一体に設け、第２の板ばね５の他端を基端として第１の板ばね４が撓むことにより第２の板ばね５を傾動可能に配設すると共に、第２の板ばね５にクリック用の反転部５ａを設け、この第２の板ばね５が押圧されることにより、第１の板ばね４が撓んでスイッチ切り換え前の第１移動ストローク（プリストローク）を形成し、更に押圧されることにより、第２の板ばね５が反転してクリック感の生成とスイッチの切り換えを行う第２移動ストロークを形成することにより、スイッチの切り換えまでの全移動ストロークを大きくできると共に、スイッチの切り換え時には明瞭なクリック感触を得ることができるものとなっている。
【００３１】
図５乃至図８は、本発明の可動接点及びスイッチ装置の他の実施例を示している。
この場合、上記実施例とは、可動接点及び固定接点の構成が一部相違している。すなわち、本実施例の可動接点１６は、同じ金属板で一体に形成された第１の板ばね１４と第２の板ばね１５とから形成されている点では同じであるが、第１の板ばね１４には、クリック用の反転部１４ｃが設けられており、また、基台１１に設けられた個別固定接点１３は、第２の板ばね１５の周縁部１５ｂの他端（図６の右端）または第１の板ばね１４の連結部１４ａの一部と一定の間隔を保持して対峙されている。
【００３２】
図５、図６に示すように、可動接点１６は、弾性を有する導電性の金属薄板からなり、中央に平坦部１５ａを有する略円形状の第２の板ばね１５と、この第２の板ばね１５の片側に連結部１４ａで接続して一体に形成され、反転可能な反転部１４ｃを有する略Ｕ字状の第１の板ばね１４とから形成されている。また、第１の板ばね１４と第２の板ばね１５との間には、一対の連結部１４ａを挟んだ中央位置に、細長状の逃げ孔１４ｂが設けられている。また、この逃げ孔１４ｂを設けることにより、第１の板ばね１４と第２の板ばね１５との間に（逃げ孔１４ｂに臨むように）第２の板ばね１５の周縁部１５ｂの一部を露出させている。
【００３３】
また、第１の板ばね１４の反転部１４ｃには、外周部から逃げ孔１４ｂに至る山形に突き出された一対の屈曲部１４ｄが設けられており、この屈曲部１４ｄを設けることにより連結部１４ａに接続された反転部１４ｃを湾曲させている。そして、第２の板ばね１５が押圧された際には、連結部１４ａを介してこの屈曲部１４ｄに応力が加わることにより湾曲部に反り力が作用し、第１の板ばね１４の反転部１４ｃが上方に反転するものとなっている。
【００３４】
可動接点ばね１６が基台１１上に載置される時、前記第２の板ばね１５の周縁部１５ｂの一端（図６の左端）が、共通固定接点１２と常時接触した状態で載置され、一方、第２の板ばね１５の周縁部１５ｂの他端（図６の右端）または第１の板ばね１４の連結部１４ａの一部が、前記個別固定接点１３と一定の間隔を保持して対峙されている。この第１の板ばね１４の連結部１４ａまたは第２の板ばね１５の周縁部１５ｂのどちらか一方が個別固定接点１３と接触可能な接点部を構成している。
【００３５】
前記可動接点１６は、第１の板ばね１４のばね性によって連結部１４ａを介して第２の板ばね１５の周縁部１５ｂの他端（図６の右端）が上方に付勢されており、第２の板ばね１５の周縁部１５ｂの一端（図６の左端）を支点として傾動動作及び復帰動作可能に配設されている。また、この場合、第１の板ばね１４の反転部１４ｃの外周部の一端（図６の右端）が基台１１の上面に当接した状態となっており、第１の板ばね１４の連結部１４ａは、第１及び第２の板ばね１４、１５の非動作時においては、基台１１上の個別固定接点１３よりも上方に位置するように配置されている。
【００３６】
上記構成の可動接点１６を用いたスイッチ装置の動作を、図７及び図８を用いて説明する。
非動作時においては、図６に示すように、可動接点１６は第２の板ばね１５の周縁部１５ｂの一端（図６の左端）が共通固定接点１２と接触しているが、第１及び第２の板ばね１４、１５の各接点部は個別固定接点１３とは離間しており、スイッチはオフ状態となっている。
【００３７】
次に、図７に示すように、図示しない電子機器等の操作部材により第２の板ばね１５の平坦部１５ａ上面が押圧されると、第２の板ばね１５が周縁部１５ｂの一端（図７の左端）を支点として傾動され、これにより第１の板ばね１４の連結部１４ａを介して屈曲部１４ｄに応力が加わることにより反転部１４ｃの湾曲部に反り力が作用し、第１の板ばね１４の反転部１４ｃが上方に反転する。この反転により第１の板ばね１４の連結部１４ａ及び第２の板ばね１５の周縁部１５ｂの他端（図７の右端）が下方へ移動し、第１の板ばね１４の連結部１４ａまたは第２の板ばね１５の周縁部１５ｂの他端のどちらか一方が個別固定接点１３と接触してスイッチがオン状態となる。この状態で第１移動ストロークが得られる。
【００３８】
この状態から、図８に示すように、図示しない操作部材を更に押圧すると、スイッチがオンした状態のまま、今度は第２の板ばね１５の平坦部１５ａが下方へ撓んで、中央下面が基台１１の上面と当接して移動が停止する。この第２の板ばね１５の撓み動作により第２移動ストロークが得られるものとなる。
【００３９】
このように、本発明の可動接点１６を用いたスイッチ装置は、第１の板ばね１４及びこの第１の板ばね１４よりもばね力の大きな第２の板ばね１５とを備え、この第２の板ばね１５の片側に第１の板ばね１４を一体に設け、第２の板ばね１５の他端を基端として第１の板ばね１４が撓むことにより第２の板ばね１５を傾動可能に配設すると共に、第１の板ばね１４にクリック用の反転部１４ｃを設け、第２の板ばね１５が押圧されることにより、第１の板ばね１４が反転してクリック感の生成とスイッチの切り換えを行う第１移動ストロークを形成し、更に押圧されることにより、第２の板ばね１５が撓んでスイッチ切り換え後の第２移動ストローク（オーバーストローク）を形成することにより、スイッチの切り換え時に明瞭なクリック感触を得ることができると共に、スイッチの切り換え後の移動ストロークを大きくできるものとなっている。
【００４０】
図９乃至図１２は、本発明の可動接点及びスイッチ装置の更に他の実施例を示している。
この場合、本実施例では、上記した図５乃至図８の実施例の基台１１に、前述した図１乃至図４の実施例の可動接点６を載置した構成としている。尚、上記及び前述した各実施例の構成と同一部品については同一符号を付してその詳細な説明は省略する。
すなわち、本実施例では、可動接点ばね６は、第２の板ばね５の周縁部５ｂの一端（図１０の左端）が、共通固定接点１２と常時接触した状態で基板１１に載置され、一方、第２の板ばね５の周縁部５ｂの他端（図１０の右端）または第１の板ばね４の連結部４ａの一部が、個別固定接点１３と一定の間隔を保持して対峙されている。そして、この第１の板ばね４の連結部４ａまたは第２の板ばね５の周縁部５ｂのどちらか一方が個別固定接点１３と接触可能な接点部を構成している。
【００４１】
前記可動接点６は、第１の板ばね４のばね性によって連結部４ａを介して第２の板ばね５の周縁部５ｂの他端（図１０の右端）が上方に付勢されており、第２の板ばね５の周縁部５ｂの一端（図１０の左端）を支点として傾動動作及び復帰動作可能に配設されている。また、この場合、第１の板ばね４の外周部の一端（図１０の右端）が基台１１の上面に当接した状態となっており、第１の板ばね４の連結部４ａは、第１及び第２の板ばね４、５の非動作時においては、基台１１上の個別固定接点１３よりも上方に位置するように配置されている。
【００４２】
上記構成の可動接点６を用いたスイッチ装置の動作を、図１１及び図１２を用いて説明する。
非動作時においては、図１０に示すように、可動接点６は第２の板ばね５の周縁部５ｂの一端（図１０の左端）が共通固定接点１２と接触しているが、第１及び第２の板ばね４、５の各接点部は個別固定接点１３とは離間しており、スイッチはオフ状態となっている。
【００４３】
次に、図１１に示すように、図示しない電子機器等の操作部材により第２の板ばね５の反転部５ａ頂部上面が押圧されると、第２の板ばね５が周縁部５ｂの一端（図１１の左端）を支点として傾動され、これにより第１の板ばね４の連結部４ａを介して湾曲部に応力が加わることにより、第１の板ばね４が下方に撓み、第１の板ばね４の連結部４ａ及び第２の板ばね５の周縁部５ｂの他端（図１１の右端）が下方へ移動し、第１の板ばね４の連結部４ａまたは第２の板ばね５の周縁部５ｂの他端のどちらか一方が個別固定接点１３と接触してスイッチがオン状態となる。この状態で第１移動ストロークが得られる。
【００４４】
この状態から、図１２に示すように、図示しない操作部材を更に押圧すると、スイッチがオンした状態のまま、今度は第２の板ばね５の反転部５ａが反転し、反転部５ａの中央下面が基台１１の上面と当接して移動が停止する。この第２の板ばね５の反転動作により第２移動ストロークが得られるものとなる。
【００４５】
このように、本発明の可動接点６を用いたスイッチ装置は、第１の板ばね４及びこの第１の板ばね４よりもばね力の大きな第２の板ばね５とを備え、この第２の板ばね５の片側に第１の板ばね４を一体に設け、第２の板ばね５の他端を基端として第１の板ばね４が撓むことにより第２の板ばね５を傾動可能に配設すると共に、第２の板ばね５にクリック用の反転部５ａを設け、この第２の板ばね５が押圧されることにより、第１の板ばね４が撓んでスイッチの切り換えを行う第１移動ストロークを形成し、更に押圧されることにより、第２の板ばね５が反転してクリック感の生成とスイッチ切り換え後の第２移動ストローク（オーバーストローク）を形成することにより、スイッチの切り換え後の移動ストロークを大きくできると共に、スイッチの切り換え後に更に押圧されたことをクリック感触で感知できるものとなっている。
【００４６】
図１３乃至図１６は、本発明の可動接点及びスイッチ装置の更に他の実施例を示している。
この場合、本実施例では、上記した図９乃至図１２の実施例と基台の構成が一部相違している。本実施例の基台２１には、共通固定接点２２に並設して第１の個別固定端子２３ａと第２の個別固定端子２３ｂとからなる一対の個別固定接点２３が形成されており、この基台２１に前述した図１乃至図４の実施例の可動接点６を載置した構成としている。尚、上記及び前述した各実施例の構成と同一部品については同一符号を付してその詳細な説明は省略する。
【００４７】
すなわち、本実施例では、可動接点ばね６は、第２の板ばね５の周縁部５ｂの一端（図１４の左端）が、共通固定接点２２と常時接触した状態で基板２１に載置され、一方、第２の板ばね５の周縁部５ｂの他端（図１４の右端）または第１の板ばね４の連結部４ａの一部が、第１の個別固定接点２３ａと一定の間隔を保持して対峙されている。そして、この第１の板ばね４の連結部４ａまたは第２の板ばね５の周縁部５ｂのどちらか一方が第１の個別固定接点２３ａと接触可能な接点部を構成している。
【００４８】
また、第２の板ばね５の反転部５ａの頂部下面が、第２の個別固定接点２３ｂと一定の間隔を保持して対峙されている。この第２の板ばね５の反転部５ａの頂部下面には、複数の突状のボッチからなる接点部５ｃが形成されており、この接点部５ｃが第２の個別固定接点２３ｂと接触可能な接点部を構成している。
【００４９】
前記可動接点６は、第１の板ばね４のばね性によって連結部４ａを介して第２の板ばね５の周縁部５ｂの他端（図１４の右端）が上方に付勢されており、第２の板ばね５の周縁部５ｂの一端（図１４の左端）を支点として傾動動作及び復帰動作可能に配設されている。また、この場合、第１の板ばね４の外周部の一端（図１４の右端）が基台２１の上面に当接した状態となっており、第１の板ばね４の連結部４ａは、第１及び第２の板ばね４、５の非動作時においては、基台２１上の第１の個別固定接点２３ａよりも上方に位置するように配置されている。
【００５０】
上記構成の可動接点６を用いたスイッチ装置の動作を、図１５及び図１６を用いて説明する。
非動作時においては、図１４に示すように、可動接点６は第２の板ばね５の周縁部５ｂの一端（図１４の左端）が共通固定接点２２と接触しているが、第１及び第２の板ばね４、５の各接点部は第１及び第２の個別固定接点２３ａ、２３ｂとは離間しており、スイッチはオフ状態となっている。
【００５１】
次に、図１５に示すように、図示しない電子機器等の操作部材により第２の板ばね５の反転部５ａ頂部上面が押圧されると、第２の板ばね５が周縁部５ｂの一端（図１５の左端）を支点として傾動され、これにより第１の板ばね４の連結部４ａを介して湾曲部に応力が加わることにより、第１の板ばね４が下方に撓み、第１の板ばね４の連結部４ａ及び第２の板ばね５の周縁部５ｂの他端（図１５の右端）が下方へ移動し、第１の板ばね４の連結部４ａまたは第２の板ばね５の周縁部５ｂの他端のどちらか一方が第１の個別固定接点２３ａと接触して１段目のスイッチがオン状態となる。この状態で第１移動ストロークが得られる。
【００５２】
この状態から、図１６に示すように、図示しない操作部材を更に押圧すると、１段目のスイッチがオンした状態のまま、今度は第２の板ばね５の反転部５ａが反転し、反転部５ａの頂部下面に設けられた接点部５ｃが第２の個別接点２３ｂと接触して２段目のスイッチがオン状態となる。この第２の板ばね５の反転動作により第２移動ストロークが得られるものとなる。
【００５３】
このように、本発明の可動接点６を用いたスイッチ装置は、第１の板ばね４及びこの第１の板ばね４よりもばね力の大きな第２の板ばね５とを備え、この第２の板ばね５の片側に第１の板ばね４を一体に設け、第２の板ばね５の他端を基端として第１の板ばね４が撓むことにより第２の板ばね５を傾動可能に配設すると共に、第２の板ばね５にクリック用の反転部５ａを設け、この第２の板ばね５が押圧されることにより、第１の板ばね４が撓んで１段目のスイッチの切り換えを行う第１移動ストロークを形成し、更に押圧されることにより、第２の板ばね５が反転してクリック感の生成と２段目のスイッチの切り換えを行う第２移動ストロークを形成することにより、１段目と２段目のスイッチの切り換えが可能な２段スイッチを構成でき、操作性が向上するものとなっている。
【００５４】
図１７は、本発明の可動接点６をフープ状にした状態を示している。
この場合、第１の板ばね４と第２の板ばね５からなる可動接点６を、帯状の金属板からなるフープ材７に複数個連続して設けている。そして、フープ材７と可動接点６とは、第２の板ばね５の外周縁に設けられた繋ぎ桟部７ａで接続されている。また、この繋ぎ桟部７ａは、第１及び第２の板ばね４、５との中心を結ぶ仮想線Ｌ−Ｌを横切る方向の第２の板ばね５の外周縁に形成されており、すなわち動作時に基台２１と当接する範囲を避けた外周縁５ｂに形成されている。このため、可動接点６の傾動を繰り返し行っても、フープ材７との切り離し痕が固定接点や基台を削ることがなく、異物の発生を抑制し、長寿命化が図れるものとなっている。
【００５５】
上記した本発明の実施例によれば、第１の板ばね４及びこの第１の板ばね４よりもばね力の大きな第２の板ばね５とを備え、この第２の板ばね５の片側に第１の板ばね４を一体に設け、第２の板ばね５の他端を基端として第１の板ばね４が撓むあるいは反転することにより第２の板ばね５を傾動可能に配設し、第１の板ばね４が撓むあるいは反転ことにより第２の板ばね５が傾動する第１移動ストロークと、第２の板ばね５が撓むあるいは反転することにより第２の板ばね５が移動する第２移動ストロークとによってスイッチ切り換え時の全移動ストロークを形成するようにして、可動接点６の第２の板ばね５と一体に設けた第１の板ばね４によって可動接点６を傾動させるようにしたので、動作（移動）ストロークを大きく形成できるものとなる。また、可動接点６の両側を浮かせるのではなく、一側の他端を基端として傾動させるので、安定した良好な操作フィーリングが得られるものとなっている。
【００５６】
また、第１の板ばね４及び第２の板ばね５を、同一のばね性金属板で一体形成すると共に、何れか一方にクリック用の反転部を形成したので、可動接点６としての第１及び第２の板ばね４、５とクリック用ばねを、同一の金属板をプレス成形することにより容易に製造できるものとなっている。
【００５７】
また、本発明のスイッチ装置は、基台１、１１、２１上に載置され、共通固定接点２、１２、２２及び個別固定接点３、１３、２３と接離する第１の板ばね４、１４及びこの第１の板ばね４、１４よりもばね力の大きな第２の板ばね５、１５からなる可動接点６、１６を備え、押圧操作時に第１の板ばね４、１４及び第２の板ばね５、１５が撓むことによってスイッチ切り換え時の全移動ストロークを形成したスイッチ装置であって、可動接点６、１６を、共通固定接点２、１２、２２及び個別固定接点３、１３、２３が配設された基台上に載置したことから、移動ストロークが大きく、部品点数の少ないスイッチ装置を提供できるものとなっている。
【００５８】
図１８及び図１９は、本発明の可動接点６を粘着シートに貼着した可動接点付シート、及びこの可動接点付シートを用いたスイッチ装置を示している。尚、図１３乃至図１６で説明した同一部品については同一符号を付してその説明を省略する。
粘着シート３１は、ポリエステル樹脂等の絶縁性のフィルム材からなり、可撓性を有するシート状に形成されている。この粘着シート３１の下面には、部分的に接着剤３２が塗布されており、この接着剤３２により粘着シート３１の下面側に第１及び第２の板ばね４、５からなる可動接点６が貼着されている。
【００５９】
この場合、粘着シート３１の下面には、第１の板ばね４の上面側に対応して非粘着部（接着剤３２の未塗布部）が形成され、第２の板ばね５の上面側に対応して粘着部（接着剤３２の塗布部）が形成されており、可動接点６は第２の板ばね５の上面側の部分でのみ粘着シート３１に貼着されたものとなっている。このように、粘着シート３１の下面には、第１の板ばね４の上面に非粘着部を形成し、第２の板ばね５の上面に粘着部を形成したので、第１の板ばね４の撓みを阻害することがなく、確実な動作が得られるものとなっている。
【００６０】
また、粘着シート３１の下面には、同じくポリエステル樹脂等の絶縁性のフィルム材からなり、可動接点６が収容される収容孔３３ａを有するスペーサシート３３が貼着されている。そして、このスペーサーシート３３を含む粘着シート３１と第１及び第２の板ばね４、５からなる可動接点６とを一体に、搬送時及び組立て時等に可動接点６にゴミや異物等が付着するのを防止する保護シートの役目を持つ剥離可能な剥離シート（図示せず）上に積層させることによりシート状の可動接点付シートが構成されている。
【００６１】
図１９は、本発明の可動接点付シートを用いたスイッチ装置を示しており、共通固定接点２２と、第１及び第２の個別固定接点２３ａ、２３ｂが配設された基台２１上に、剥離シートを剥離した後、可動接点付シートがスペーサーシート３３の下面に塗布された接着剤３４によって貼着され積層されている。
尚、本発明のスイッチ装置の動作については、図１３乃至図１６に示したスイッチ装置の構成で説明した内容と同様のためここではその説明は省略する。
【００６２】
このように、本発明の可動接点６を用いた可動接点付シートは、第１の板ばね４及びこの第１の板ばね４よりもばね力の大きな第２の板ばね５とを備え、押圧操作時に第１の板ばね４及び第２の板ばね５が撓むことによってスイッチ切り換え時の全移動ストロークを形成した可動接点付シートを、可撓性を有する粘着シート３１の下面側に貼着し、この粘着シート３１と可動接点６とを一体に剥離可能な剥離シートに積層させたことから、可動接点付シートの搬送時やスイッチの組立時に、接点部にゴミや異物などが付着するのを防止できると共に、組立時には可動接点付シートの剥離シートを剥がして各固定接点２２、２３が配設された基台２１上に積層するだけでいいので、移動ストロークが大きく、スイッチの組立が容易なスイッチ用の可動接点付シートを提供できるものとなっている。
尚、本発明の可動接点付シートは、上記した可動接点６と基台２１の組み合わせに代えて、前述の図１乃至図１２で説明した可動接点と基台の組み合わせで構成した可動接点付シートとすることも可能である。
【００６３】
尚、図２０及び図２１は本発明の可動接点の更に他の実施例を示している。
図２０に示す可動接点５６は、弾性を有する導電性の金属薄板からなり、中央に反転可能なドーム状の反転部５５ａを有する略円形状の第２の板ばね５５と、この第２の板ばね５５の片側に連結部５４ａを介して突出して一体に形成された一対の第１の板ばね５４とから形成されている。そして、この可動接点５６は、第１の板ばね５４に比べて第２の板ばね５５のばね力の方が大きくなるように形成されており、第１の板ばね５４が撓んだ後、第２の板ばね５５が反転動作することによって押圧操作時に大きな移動ストロークが得られるものとなっている。
【００６４】
また、一対の第２の板ばね５５の間には、第２の板ばね５５の周縁部５５ｂの一部が露出して設けられている。また、第１の板ばね５４は、一対の連結部５４ａから自由端に向かって下方へ湾曲して設けられおり、第２の板ばね５５が押圧された際には、連結部５４ａを介してこの湾曲部に応力が加わることにより湾曲部が撓んで、第２の板ばね５５が傾動するものとなっている。
【００６５】
図２１に示す可動接点６６は、同じく弾性を有する導電性の金属薄板からなり、中央に反転可能なドーム状の反転部６５ａを有する略円形状の第２の板ばね６５と、この第２の板ばね６５の片側の周縁部６５ｂに連結部６４ａを介して突出して一体に形成された第１の板ばね６４とから形成されている。この可動接点６６も、同じように、第１の板ばね６４に比べて第２の板ばね６５のばね力の方が大きくなるように形成されており、第１の板ばね６４が撓んだ後、第２の板ばね６５が反転動作することによって押圧操作時に大きな移動ストロークが得られるものとなっている。
【００６６】
また、同じように、第１の板ばね６４は連結部６４ａから自由端に向かって下方へ湾曲して設けられおり、第２の板ばね６５が押圧された際には、連結部６４ａを介してこの湾曲部に応力が加わることにより湾曲部が撓んで、第２の板ばね６５が傾動するものとなっている。
【００６７】
尚、上記可動接点５６、６６を用いたスイッチ装置の構造及び動作については、上述した実施例の構成及び動作と同一なため、ここではその説明は省略する。
このような、上記実施例の可動接点５６、６６を用いたスイッチ装置においても、上述した実施例の場合と同様な作用効果が得られるのはもちろんである。また、上記可動接点５６、６６の構成によれば、小さく形成できるので、材料歩留りが向上し安価対応が図れると共に、基台などへの配線パターンの形成が容易となる。
【図面の簡単な説明】
【００６８】
【図１】本発明の可動接点を示す平面図である。
【図２】本発明の可動接点を用いたスイッチ装置を示す要部断面図である。
【図３】本発明の可動接点の第１移動ストローク状態を示す要部断面図である。
【図４】本発明の可動接点の第２移動ストローク状態を示す要部断面図である。
【図５】本発明の可動接点の他の実施例を示す平面図である。
【図６】本発明のスイッチ装置の他の実施例を示す要部断面図である。
【図７】本発明の可動接点の第１移動ストローク状態を示す要部断面図である。
【図８】本発明の可動接点の第２移動ストローク状態を示す要部断面図である。
【図９】本発明の可動接点の更に他の実施例を示す平面図である。
【図１０】本発明のスイッチ装置の更に他の実施例を示す要部断面図である。
【図１１】本発明の可動接点の第１移動ストローク状態を示す要部断面図である。
【図１２】本発明の可動接点の第２移動ストローク状態を示す要部断面図である。
【図１３】本発明の可動接点の更に他の実施例を示す平面図である。
【図１４】本発明のスイッチ装置の更に他の実施例を示す要部断面図である。
【図１５】本発明の可動接点の第１移動ストローク状態を示す要部断面図である。
【図１６】本発明の可動接点の第２移動ストローク状態を示す要部断面図である。
【図１７】本発明の可動接点をフープ状にした状態を示す平面図である。
【図１８】本発明の可動接点を粘着シートに貼着した可動接点付シートを示す平面図である。
【図１９】本発明の可動接点付シートを用いたスイッチ装置を示す断面図である。
【図２０】本発明の可動接点の更に他の実施例を示す平面図である。
【図２１】本発明の可動接点の更に他の実施例を示す平面図である。
【図２２】従来のスイッチを示す断面図である。
【図２３】従来のスイッチの押ボタンと押圧用弾性体の結合構成を示す断面図である。
【図２４】従来のスイッチの動作状態を示す断面図である。
【符号の説明】
【００６９】
１：基台
２：共通固定接点
３：個別固定接点
４：第１の板ばね
４ａ：連結部
４ｂ：逃げ孔
５：第２の板ばね
５ａ：反転部
５ｂ：周縁部
５ｃ：接点部
６：可動接点
７：フープ材
７ａ：繋ぎ桟部
１１：基台
１２：共通固定接点
１３：個別固定接点
１４：第１の板ばね
１４ａ：連結部
１４ｂ：逃げ孔
１４ｃ：反転部
１４ｄ：屈曲部
１５：第２の板ばね
１５ａ：平坦部
１５ｂ：周縁部
１６：可動接点
２１：基台
２２：共通固定接点
２３：個別固定接点
２３ａ：第１の個別固定接点
２３ｂ：第２の個別固定接点
３１：粘着シート
３２：接着剤
３３：スペーサシート
３３ａ：収容孔
３４：接着剤
５４：第１の板ばね
５４ａ：連結部
５５：第２の板ばね
５５ａ：反転部
５５ｂ：周縁部
５６：可動接点
６４：第１の板ばね
６４ａ：連結部
６５：第２の板ばね
６５ａ：反転部
６５ｂ：周縁部
６６：可動接点
【図１】
2006216329.tif 000003
【図２】
2006216329.tif 000004
【図３】
2006216329.tif 000005
【図４】
2006216329.tif 000006
【図５】
2006216329.tif 000007
【図６】
2006216329.tif 000008
【図７】
2006216329.tif 000009
【図８】
2006216329.tif 000010
【図９】
2006216329.tif 000011
【図１０】
2006216329.tif 000012
【図１１】
2006216329.tif 000013
【図１２】
2006216329.tif 000014
【図１３】
2006216329.tif 000015
【図１４】
2006216329.tif 000016
【図１５】
2006216329.tif 000017
【図１６】
2006216329.tif 000018
【図１７】
2006216329.tif 000019
【図１８】
2006216329.tif 000020
【図１９】
2006216329.tif 000021
【図２０】
2006216329.tif 000022
【図２１】
2006216329.tif 000023
【図２２】
2006216329.tif 000024
【図２３】
2006216329.tif 000025
【図２４】
2006216329.tif 000026